(57)【要約】  本発明は、陰茎に張力を付与する連結要素５と、張力計測器７、８、１９、２７とを有する陰茎拡張装置の締結装置１に関する。締結装置は、第１の電子機器部品９と第１の電流源１０とが設けられ、張力計測器７、８、１９、２７は、第１の電子機器部品９と共に、付与された張力の測定値を電気的又は電子的に測定し、第１の電子機器部品９は、測定された測定値を外部受信機に送信する第１の無線装置を有する、ことを特徴とする。この締結装置によって、関連する測定値、特に、付与された張力の測定値を、本発明による締結装置が用いられる感知領域から、外部装置、例えば、携帯電話のアプリに伝達することができる。
2019523689.tif 000002
【特許請求の範囲】
【請求項１】
陰茎に張力を付与する連結要素（５）と、張力計測器（７、８、１９、２７）とを有する陰茎拡張装置の締結装置（１）であって、
第１の電子機器部品（９）と第１の電流源（１０）とが設けられ、
前記張力計測器（７、８、１９、２７）は、前記第１の電子機器部品（９）と共に、付与された張力の測定値を電気的又は電子的に測定し、
前記第１の電子機器部品（９）は、測定された測定値を外部受信機に送信する第１の無線装置を有する、ことを特徴とする、締結装置。
【請求項２】
前記張力計測器（７、８、１９、２７）は、歪みゲージ（８）又は距離測定装置を具備する、ことを特徴とする、請求項１に記載の締結装置。
【請求項３】
前記距離測定装置は、誘導性、抵抗性又は容量性の距離測定装置である、ことを特徴とする、請求項２に記載の締結装置。
【請求項４】
前記距離測定装置はホール効果センサ（２７）を具備する、ことを特徴とする、請求項３に記載の締結装置。
【請求項５】
前記第１の無線装置はブルートゥース（登録商標）装置である、ことを特徴とする、請求項１〜４のいずれか１項に記載の締結装置。
【請求項６】
前記張力計測器（７、８、１９、２７）、前記第１の電子機器部品（９）及び前記第１の電流源（１０）は、前記連結要素（５）に組み込まれる、ことを特徴とする、請求項１〜５のいずれか１項に記載の締結装置。
【請求項７】
前記連結要素（５）は、前記締結装置（１）から分離されており、前記締結装置（１）に接続されるほか、前記締結装置（１）から再度解放されるのに適した要素である、ことを特徴とする、請求項１〜６のいずれか１項に記載の締結装置。
【請求項８】
前記締結装置（１）は、近位端にて開放され、前記陰茎の遠位端を受容し、前記陰茎拡張装置に締結するのに適した細長い硬質中空体（３）と、真空ポンプ（４）に動作可能に接続されているか、又はそのような動作可能接続に至り得る開口と、を有し、
前記締結装置（１）は、弾性筒状スリーブ（２）によって陰茎に接続されるのに適しており、前記スリーブ（２）は、その近位領域にて、前記陰茎の軸部に装着され、前記締結装置（１）の組み立てられた状態では、その遠位領域にて、前記中空体（３）の近位端を包囲し、前記中空体（３）の外側に装着されるのに適している、請求項１〜７のいずれか１項に記載の締結装置であって、
前記中空体（３）の内部の圧力を測定するための圧力計が設けられ、
ｉ）前記圧力計は前記第１の電子機器部品（９）と共に圧力測定値を電気的又は電子的に測定し、
前記第１の電子機器部品（９）の前記第１の無線装置は測定された圧力測定値を外部受信機に送信するのに適しているか、あるいは
ｉｉ）第２の電子機器部品と第２の電流源が設けられ、
前記圧力計は前記第２の電子機器部品と共に圧力の測定値を電気的又は電子的に測定し、
前記第２の電子機器部品は測定された測定値を外部受信機に送信する第２の無線装置を有するか、の何れかである
ことを特徴とする、締結装置。
【請求項９】
陰茎に張力を付与する連結要素（５）を有する陰茎拡張装置の締結装置（１）であって、
前記締結装置（１）は、近位端にて開放され、前記陰茎の遠位端を受容し、前記陰茎拡張装置に締結するのに適した細長い硬質中空体（３）と、真空ポンプ（４）に動作可能に接続されているか、又はそのような動作可能接続に至り得る開口と、を有し、
前記締結装置（１）は、弾性筒状スリーブ（２）によって陰茎に接続されるのに適しており、前記スリーブ（２）は、その近位領域にて、前記陰茎の軸部に装着され、前記締結装置（１）の組み立てられた状態では、その遠位領域にて、前記中空体（３）の近位端を包囲し、前記中空体（３）の外側に装着されるのに適している、締結装置において、
前記中空体（３）の内部の圧力を測定するために圧力計が設けられ、前記圧力計は第１の電子機器部品（９）と共に圧力測定値を電気的又は電子的に測定し、前記第１の電子機器部品（９）は測定された圧力測定値を外部受信機に送信する第１の無線装置を有する、ことを特徴とする、締結装置。
【請求項１０】
三方弁が前記開口と前記真空ポンプ（４）との間に配置され、以下の
ｉ）前記中空体（３）の内部は周囲環境に接続される設定と、
ｉｉ）前記開口、ひいては前記中空体（３）は閉じられる設定と、
ｉｉｉ）前記中空体（３）の内部は前記真空ポンプ（４）に接続される設定と、を採用することができる、ことを特徴とする、請求項１〜９のいずれか１項に記載の締結装置。
【請求項１１】
前記三方弁は、少なくとも１つの連続開口が設けられた回転可能な封止ディスクを有し、
連続開口が中心を外れて配置され、前記封止ディスクの回転により、前記開口と整列することができ、別の連続開口が前記封止ディスクに設けられ、
別の連続開口が同じように中心を外れて配置され、前記封止ディスクの回転によって前記開口と軸方向に整列することができ、チャネルを介して前記周囲環境と連通し、
前記封止ディスクは、前記開口が閉鎖されるように回転することができる、ことを特徴とする、請求項１０に記載の締結装置。
【請求項１２】
前記締結装置（１）は、前記連結要素（５）と共に陰茎拡張装置に組み込まれる、ことを特徴とする、請求項１〜１１のいずれか１項に記載の締結装置。
【請求項１３】
締結装置と、力を伝達する連結要素（５）とを有する陰茎拡張装置であって、以下の特徴、
ｉ）前記陰茎拡張装置は、ユーザの身体に支持されるのに適した支持リング（２９）と、前記支持リング（２９）に関節式に平行に連結され、軸方向に弾性的に取り付けられる長手方向に調整可能な２つの伸長ロッド（３０、３０′）と、を備えるという特徴と、
ｉｉ）前記連結要素（５）は、前記２つの伸長ロッド（３０、３０′）の遠位端に配置され、前記締結装置（１）を前記２つの伸長ロッド（３０、３０′）に接続し、張力を陰茎に付与するのに適しているという特徴と、を有する陰茎拡張装置において、
第１の電子機器部品（９）と第１の電流源（１０）とが設けられ、
前記張力計測器（７、８、１９、２７）は、前記第１の電子機器部品（９）と共に、付与された張力の測定値を電気的又は電子的に測定し、
前記第１の電子機器部品（９）は、測定された測定値を外部受信機に送信する第１の無線装置を有し、
前記第１の電子機器部品（９）、前記第１の電流源（１０）及び前記張力計測器（７、８、１９、２７）は、前記２つの伸長ロッド（３０、３０′）の一方、伸長ロッド（３０、３０′）の両方又は前記連結要素（５）に配置される、ことを特徴とする、陰茎拡張装置。
【請求項１４】
前記連結要素（５）は、前記２つの伸長ロッド（３０、３０′）に接続されるほか、前記２つの伸長ロッド（３０、３０′）から再度解放されるのに適している、ことを特徴とする、請求項１３に記載の陰茎拡張装置。
【請求項１５】
陰茎に対する締結装置（１）に張力を伝達するのに適した陰茎拡張装置用連結要素（５）であって、前記連結要素（５）は、前記締結装置（１）から分離した要素であり、前記締結装置（１）に接続されるほか、前記締結装置（１）から再度解除されるのに適している、連結要素において、
第１の電子機器部品（９）と、第１の電流源（１０）と、付与された張力の測定値を電気的又は電子的に測定する張力計測器（７,８,１９,２７）とが前記連結要素（５）に一体化され、
前記第１の電子機器部品（９）は、測定された測定値を外部受信機に送信する無線装置を有する、ことを特徴とする、連結要素。
【発明の詳細な説明】
【技術分野】
【０００１】
本発明は、独立請求項の前段部分に従って、力伝達のための連結要素を有する陰茎拡張装置の締結装置と、締結装置を備える陰茎拡張装置と、連結要素とに関する。
【背景技術】
【０００２】
陰茎の拡張器具又は拡張装置は非常に多様なデザインで知られている。例えば、特許文献１（独国特許出願公開第１０００１３３１Ａ１号明細書）、特許文献２（米国特許第５７０７３４１号明細書）及び特許文献３（欧州特許出願公開第１７７９８２２Ａ１号明細書）を参照されたい。
【０００３】
携帯型陰茎拡張器具はこのほか、特許文献４（独国特許出願公開第１０２００７０１７２２２Ａ１号明細書）に記載されている。
【０００４】
このような器具では共通して、新しい組織が形成され、陰茎の拡大につながるように、陰茎に長時間作用する張力が働く。ほかにも、特定の疾患をこのような装置を用いて治療することができる。このため、このような装置は、勃起補助器具等ではない。
【０００５】
ここで問題になっている種類の陰茎拡張装置では、非勃起状態の陰茎に張力が加えられる。この目的のためには、陰茎に陰茎拡張装置を接続して、この張力を伝達し、それにより作用させることが必要である。言うまでもなく、張力を伝達する開始点は締結装置の遠位領域にある必要がある。この目的を果たす装置を、例えば、接続装置又は締結装置として指定する。本明細書では、締結装置が本発明の主題を説明するのに使用される。
【０００６】
そのような接続装置及び締結装置は、通常、連結要素を備える。次に、この連結要素は、連結要素、次いで締結装置に張力を付与し、ひいては陰茎にも張力を付与する装置に接続される。単純な事例では、張力を付与する装置は、例えばユーザの身体周りにループ状に設けられた拡張可能なストラップの形態の弾性拡張要素とすることができる。陰茎拡張器具は、通常、このような機能的な部分を有する。
【０００７】
陰茎を陰茎拡張装置に接続するために、例えば、陰茎の亀頭の後ろに係合するループを使用することが知られている。さらに、コンドーム及び円筒形中空体が提案されている（特許文献２（米国特許第５７０７３４１号明細書）及び特許文献３（欧州特許出願公開第１７７９８２２Ａ１号明細書））。
【０００８】
特許文献５（独国実用新案第２０２０６０１７６６７Ｕ１号明細書）及び特許文献６（独国実用新案第２０２０７００３８２４Ｕ１号明細書）から、いわゆる亀頭受け台が知られている。亀頭受け台の上に陰茎が載置され、固定要素の補助を受けて固定される。固定要素は、亀頭の後ろ、ひいては亀頭の近位側に係合し、張力が付与されたときに陰茎が支持要素から引き離されるのを防止する。
【０００９】
特許文献７（独国実用新案第２０２０３９２７Ｕ１号明細書）は、陰茎の恒久的拡張のための装置を開示している。この公知の装置は、ユーザの身体を支持するのに適した支持リングと、関節式に支持リングに連結され、軸方向にバネ式に取り付けられ、長さ調節可能である２つの平行な伸長ロッドと、陰茎を固定する目的で２つの伸長ロッドの遠位端に取り付けられた固定手段と、を備える。締結手段は、長手方向に長孔が設けられた円筒の形態の２つの保持クリップを備える。
【００１０】
締結手段が陰茎に載置された後、保持クリップが伸長ロッドに掛け留めされる。このような伸長ロッドは、動作状態にて陰茎に張力を付与することができるように、事前に又は事後に入れ子式に一緒に圧縮される必要がある。
【００１１】
特許文献８（国際特許公開第２０１３／０４１６７５Ａ２号（ＰＣＴ／ＥＰ２０１２／０６８６４０））は、近位端で開いており、陰茎の遠位端を受け入れるために使用される細長い硬質中空体と、陰茎の軸部を支える弾性スリーブと、を備える問題のタイプの連結装置又は締結装置を開示する。真空ポンプの補助を受けて中空体の内部に負圧を発生させることができる。これには、具体的には、必要な張力が陰茎に伝達されるが、スリーブ、ひいては締結装置は引き離されないように、スリーブが陰茎の軸部から確実に内部を封止するという効果がある。張力付与装置から締結装置への張力の伝達は、連結要素を用いて実施される。
【００１２】
この公知の接続装置の連結要素には、光学手段によって、ひいては視覚的にのみ、その場で付与された張力を示す張力計測器を装備することができる。
【先行技術文献】
【特許文献】
【００１３】
【特許文献１】独国特許出願公開第１００１３３１Ａ１号明細書
【特許文献２】米国特許第５７０７３４１号明細書
【特許文献３】欧州特許出願公開第１７７９８２２Ａ１号明細書
【特許文献４】独国特許出願公開第１０２００７０１７２２２Ａ１号明細書
【特許文献５】独国実用新案第２０２０６０１７６６７Ｕ１号明細書
【特許文献６】独国実用新案第２０２０７００３８２４Ｕ１号明細書
【特許文献７】独国実用新案第２０２０３９２７Ｕ１号明細書
【特許文献８】国際特許公開第２０１３／０４１６７５Ａ２号（ＰＣＴ／ＥＰ２０１２／０６８６４０）
【発明の概要】
【００１４】
本発明の目的は、陰茎拡張装置のための締結装置のほか、陰茎拡張装置を提供することである。陰茎拡張装置の補助を受けて、陰茎拡張装置の使用に関する重要なデータをユーザに簡便かつ慎重に送信することができる。
【００１５】
この目的は、特許請求の範囲の教示によって達成される。
【００１６】
陰茎拡張装置は、３つの要素、即ち、陰茎用の締結装置又は固定要素と、連結要素と、張力を付与する装置とを通常有する。張力付与装置によって付与される張力は、連結要素に伝達され、この連結要素によって締結装置に伝達され、締結装置の補助を受けて、締結装置に接続された陰茎に伝達される。連結要素は、締結装置に固定的に接続されてもよく、締結装置と一体の部分であってもよく、あるいは締結装置に解放可能に接続可能であってもよい。
【００１７】
本発明の主題は、締結装置に張力を付与するための連結要素と張力計測器とを備えた陰茎拡張装置の締結装置である。連結要素の補助を受けて、力、即ち張力が締結装置に伝達され、締結装置から陰茎に伝達される。上記の拡張処理は、この力の伝達又は張力の伝達によって実施することができる。
【００１８】
連結要素に力（さらに正確には張力）を付与する装置は、連結要素に係合する。本明細書の文脈では、この装置はこのほか、張力を付与する装置として指定される。上記のタイプの古典的な拡張要素であることもある。しかし、本発明はそのような拡張要素に限定されない。代わりに、先行技術にて知られており、この目的に適した既知のタイプの任意の装置を使用することが可能である。
【００１９】
張力を付与するためのこの装置はこのほか、上記の特許文献７（独国実用新案第２０２０２３９２７Ｕ１号明細書）の種類のものであり得る。
【００２０】
締結装置は、第１の電子機器部品と第１の電流源が存在することをここでは特徴とする。さらに、張力計測器は、第１の電子機器部品と共に、付与された張力の測定値を電気的又は電子的に測定する。さらに、第１の電子機器部品は、判定された測定値を外部受信機に送信する第１の無線装置を有する。第１の電流源は、この無線装置及びこの電子機器部品に必要なエネルギーを供給する。
【００２１】
本発明によるこの締結装置では、関連する測定値、特に、付与された張力の測定値を、本発明による締結装置が使用される感知領域から、外部装置、例えば携帯電話のアプリに伝達することが可能である。携帯電話機はそれぞれ、ユーザが個人的にチェックしたり、読んだりすることができる。
【００２２】
このアプリから、ユーザは、過去に付与された張力の強さ、あるいは現在付与されている張力の強さを確認することができる。このような値はこのほか、時間で積分することができる。
【００２３】
このように、本発明による締結装置を着用している人、あるいは締結装置を備えた陰茎拡張装置を着用している人は、情報への外部アクセスを有し、必要な措置を講じることができる。例えば、ユーザは、あまりにも大きな張力又はあまりにも小さな張力が直前の関連期間に付与されたかどうかを確認することができる。この種の値は、例えば、電子機器部品が配置されている要素内にて保存及び／又は処理することができる。このためには、この目的に適したチップなどを設ける必要がある。しかし、この保存及び／又は処理はこのほか、例えば携帯電話の受信機から送信されたデータを受信する外部装置で実施することができる。
【００２４】
張力計測器は、歪みゲージ又は距離測定装置を備えることが好ましい。
【００２５】
歪みゲージを、例えば、ビーム又は曲げビームに接着剤で結合することができる。後者の場合、曲げビームは、付与される力に比例して曲がり、歪みゲージの抵抗の変化を引き起こす。そのような歪みゲージは、ハーフブリッジのホイートストンフルブリッジの形態であり、付与される力に比例する出力信号（差の符号）を供給する。
【００２６】
外部へのインターフェースとしてブルートゥース（登録商標）（Ｂｌｕｅｔｏｏｔｈ（登録商標））モジュールを備える第１の電子機器部品は、ホイートストンブリッジに安定した直流電圧を供給し、「小さな」出力信号を増幅する。エネルギー供給は、例えばバッテリ又はアキュムレータを備える第１の電流源の補助を受けて実施される。
【００２７】
これとは別に、好ましくは、誘導性、抵抗性又は容量性の距離測定装置であり得る距離測定装置を使用することも可能である。
【００２８】
これは、ケーブルによって第１の電子機器部品に接続されるホール効果センサであることが特に好ましい。第１の電子機器部品は、ブルートゥース（登録商標）モジュールを備える。この種のホール効果センサの別の構成を、以下、特に図の説明に記載する。
【００２９】
連結要素は、締結装置の構成部品であり得る。しかし、好ましくは、連結要素は、締結装置に接続されるのに適しており、さらに締結装置から再度解放されるのに適した別個の要素である。言い換えれば、連結要素は締結装置に接続することができ、締結要素から再度解放することもできる。
【００３０】
ほかにも、連結要素が、少なくとも１つの軸周りに旋回可能であるように締結装置上に関節接合されることが好ましい。
【００３１】
第１の無線装置は、好ましくはブルートゥース（登録商標）装置である。
【００３２】
ほかにも、張力計測器、第１の電子機器部品及び／又は第１の電流源が連結要素に一体化されていることが好ましい。このため、ほかにも、このような要素が締結装置及び連結要素の両方に分配されることが可能である。
【００３３】
言うまでもなく、張力計測器の正確な機能に必要な全要素は、本明細書で使用される「電子機器部品」及び「張力計測器」の表現に網羅されているが、このような部品又は要素、例えば、測定装置の配線及び個々の部品は明示されていない。
【００３４】
好ましい第１の変形例によれば、本発明による締結装置は、近位端で開いており、陰茎の遠位端部を受容し、陰茎拡張装置に固定するのに適した細長い硬質中空体を有する。この中空体は、真空ポンプに動作可能に接続されるか、そのような動作可能な接続に至ることができるか、そのような動作可能な接続部に至るのに適した開口部を有する。この開口部は、好ましくは中空体の遠位端に形成される。この締結装置はさらに、弾性筒状スリーブを備える。弾性筒状スリーブは、その近位領域が陰茎の軸部に装着され、締結装置の組み立てられた状態では、その遠位領域が中空体の近位端を囲み、その近位端の外側に装着される。言い換えれば、このスリーブは、その近位領域が陰茎の軸部上に載置され、締結装置の組み立てられた状態では、その遠位領域で中空体の近位端を包囲するのに適している。
【００３５】
直前に記載した特徴を有する締結装置が、冒頭で言及した特許文献８（国際特許公開第２０１３／０４１６７５Ａ２号（ＰＣＴ／ＥＰ２０１２／０６８６４０））からも公知であり、その開示は本明細書中で参照され、本明細書に組み込まれる。
【００３６】
この第１の変形例による締結装置は、中空体の内部の圧力を測定するための圧力計が設けられ、以下のｉ）圧力計が第１の電子機器部品と共に圧力測定値を電気的又は電子的に測定し、第１の電子機器部品の第１の無線装置は測定された圧力測定値を外部受信機に送信するのに適しているという特徴又はｉｉ）第２の電子機器部品と第２の電流源が設けられ、圧力計が第２の電子機器部品と共に圧力測定値を電気的又は電子的に測定し、第２の電子機器部品は測定された圧力測定値を外部受信機に送信する第２の無線装置を有するという特徴のいずれかによって特徴づけられる。
【００３７】
このため、この第１の変形例では、張力計測器に加えて圧力計も設けられる。このような装置は、別個の電子機器部品、即ち第１及び第２の電子機器部品と、別個の電流源又はエネルギー源、即ち第１及び第２の電源と、別個の無線装置、即ち第１及び第２の無線装置とを備えることができる。
【００３８】
しかし、両方の装置が電流源、電子機器部品及び／又は無線装置を共同して使用することも可能である。
【００３９】
第２の変形例によれば、本発明の主題はさらに、力伝達のための連結要素を有する陰茎拡張装置の締結装置である。締結装置は、近位端で開いており、陰茎の遠位端部を受容し、陰茎拡張装置に固定するのに適した細長い硬質中空体を有しており、好ましくは締結装置の遠位端に配置され、真空ポンプに動作可能に接続されるか、そのような動作可能な接続に至るのに適した開口部と、弾性管状スリーブであって、陰茎の軸部にその近位領域が装着され、締結装置の組み立てられた状態では、その遠位領域が中空体の近位端を囲み、近位端の外側に装着される弾性管状スリーブと、を有する。
【００４０】
この種の締結装置が、上記の特許文献８（国際特許公開第２０１３／０４１６７５Ａ２号（ＰＣＴ／ＥＰ２０１２／０６８６４０））に同じように記載される。
【００４１】
この第２の変形例による締結装置は、中空体の内部の圧力を測定するための圧力計が設けられ、圧力計が第１の電子機器部品と共に電気的又は電子的に圧力測定値を測定し、第１の電子機器部品は、測定された圧力測定値を外部の受信機に送信する第１の無線装置を有することを特徴とする。
【００４２】
本発明による締結装置の第２の変形例では、測定値が同じように感知領域から外部に伝達される。このため、上記したようにアプリの補助を受けて、ユーザが、中空体の内部に存在する負圧が、例えば締結装置、特にスリーブが陰茎から引き離されたり、滑り落ちたりする状況を防止するのに十分であるかどうかを確認することができる。内圧が規定値を超え、その結果、十分な真空又は十分な負圧がもはや存在しない場合、例えばアラームを、アプリの補助を受けてユーザに伝達することが可能である。
【００４３】
第１の変形例及び第２の変形例では、三方弁が開口部と真空ポンプとの間に配置され、以下の
ｉ）中空体の内部は周囲環境に接続される設定と、
ｉｉ）開口部、ひいては中空体は閉じられる設定と、
ｉｉｉ）中空体の内部は真空ポンプに接続される設定と、を採用することがさらに好ましい。
【００４４】
この締結装置は、付与された張力が光学的手段によって示される張力計測器を備えることができる。この種の張力計測器を、本発明による締結装置にて同じように使用することができるが、本発明による電子式又は電気式の張力計測器及び／又は圧力計に加える場合にのみ使用することができる。
【００４５】
さらに好ましい実施形態によれば、上記の特徴を有する締結装置は、同じように上記の特徴を有する連結要素と共に、陰茎拡張装置に一体化される。このため、本発明の主題は、締結装置と、張力付与装置と、張力付与装置から締結装置に力を伝達する連結要素と、張力計測器とを備える陰茎拡張装置である。
【００４６】
この陰茎拡張装置は、第１の電子機器部品と、上記の（少なくとも１つの）特徴を有する第１の電流源とを有する。張力計測器は、第１の電子機器部品と共に、付与された圧力の測定値を電気的又は電子的に測定する。第１の電子機器部品は、測定された測定値を外部受信機に送信する第１の無線装置を有する。
【００４７】
この陰茎拡張装置の張力計測器は、好ましくは、上記のタイプの歪みゲージ又は距離測定装置を有し、及び／又は第１の無線装置はブルートゥース（登録商標）装置である。
【００４８】
この陰茎拡張装置は、使用者の身体に装着するのに適した支持リングと、支持リング上に平行に関節接合され、軸方向に弾性的に取り付けられた２つの長手方向に調節可能な伸長ロッドと、２つの伸長ロッドの遠位端部に配置され、陰茎を締結するのに適した締結装置と、力伝達のための連結要素と、を備えるものであってもよい。
【００４９】
直前に記載した特徴を有する陰茎拡張装置は、冒頭で既に議論した特許文献７（独国実用新案第２０２０３９２７Ｕ１号明細書）から公知であり、その開示は本明細書中で参照され、本明細書に組み込まれる。
【００５０】
後者の陰茎拡張装置は、第１の電子機器部品、第１の電流源及び張力計測器が、２つの伸長ロッドの一方、伸長ロッドの両方又は連結要素に配置されていることを特徴とする。ここに挙げた要素は、任意の所望の方法で分布させることができる。
【００５１】
連結要素は、この場合、好ましくは、２つの伸長ロッドに接続されるほか、伸長ロッドから再び解放されるのに適している。
【００５２】
本発明の主題はさらに、陰茎のための締結装置に張力を伝達するのに適した陰茎拡張装置用の連結要素である。連結要素は、締結装置から分離した要素であり、締結装置に接続されるのに適しているほか、締結装置から再び解放されるのに適しているものである。このため、連結要素は締結装置に接続し、締結装置から再び解放することができる。
【００５３】
この連結要素は、第１の電子機器部品と、第１の電流源と、電子機器部品と共に作用した引っ張り力の測定値を電気的又は電子的に測定する張力計測器とが連結要素と一体化され、第１の電子機器部品は、測定された測定値を外部受信機に送信する無線装置を有することを特徴とする。
【図面の簡単な説明】
【００５４】
本発明は、添付図面を参照して以下でさらに詳細に説明される。
【図１】締結装置を断面図で示し、連結要素を側面図で示しており、締結装置と連結要素が分離状態で示される。
【図２】図１と類似する図であるが、締結装置と締結要素が組み立てた状態で示される。
【図３】第１の実施形態による締結装置のための連結要素の断面図を示す。
【図４】図３及び図５に示される連結要素の斜視図を示す。
【図５】第１の実施形態による締結装置のための連結要素の第２の実施形態を示す。
【図６】支持リングと、支持リングの上に関節式に締結された伸長ロッドとを備えた陰茎拡張装置であって、図１及び図２による締結装置に連結要素の別の実施形態を介して連結された陰茎拡張装置の斜視図を示す。
【図７】図６の詳細部の断面図を示す。
【図８】図６による陰茎拡張装置の２つの伸長ロッドであって、図６にも示されている連結要素を備える伸長ロッドの平面図を示す。
【図９】図６及び図８に示す連結要素の斜視図を示す。
【図１０】第１の実施形態による締結装置のための連結要素の第３の実施形態の図３及び図５に対応する断面図を示す。
【発明を実施するための形態】
【００５５】
図１は、医療用シリコーン製のスリーブ２を備えた本発明による締結装置１の部分断面図及び部分側面図を示す。スリーブ２は硬質中空体３に接続され、硬質中空体３は真空ポンプ４に接続される。
【００５６】
この締結装置１は、中空体３又は締結装置１に旋回可能に接続され、再び解放可能な連結要素５をさらに備える。図１では、連結要素５は、締結装置１とは分離されているか、締結装置１から解放されて示される。締結装置は、それ自体で、即ち連結要素を備えていない状態で上記の第１の変形例に対応し、特許文献８（国際特許公開第２０１３／０４１６７５Ａ２号（ＰＣＴ／ＥＰ２０１２／０６８６４０））に詳細に記載される。
【００５７】
締結装置１（さらに正確には中空体３）を連結要素５に接続するために、半径方向外方に向いた周辺カラー２０が中空体３の遠位端に設けられ、このカラー２０の後ろにリング２１が係合する。このリング２１は閉鎖されておらず開かれているため、中空体３上に弾性的な拡張を伴って側方に取り付けることができ、カラー２０の後ろに係合することができる。
【００５８】
締結装置１が連結要素５に連結されるこの組み立てられた状態が図２に示される。
【００５９】
リング２１は、連結要素５に取り付けられ、径方向に対向した状態でリング２１に連結されるか一体的に形成される２つの半径方向延伸ペグ２２を備える（図３も参照）。このようなペグ２２は、半径方向外向きに、ひいては締結装置１の長手方向軸に対して直交して延びる。
【００６０】
連結要素５の軸受ブッシュ２３を、２つのペグ２２のそれぞれに押し付けることができる。ペグ２２は、軸受ブッシュ２３の関連する内部に突出し、連結要素５を回転可能に取り付ける。
【００６１】
連結要素５は２つの弓形アーム２４、２４′を備える。２つの弓形アームは、ほぼ平行に延在し、その遠位端がアーチ２５によって接続される。これにより、回動可能な略Ｕ字形要素が得られる。
【００６２】
連結要素５の遠位端には、固定具２６がアーチ２５上に設けられ、図示の実施形態では、リングの形態である。この固定具により、陰茎拡張装置の張力付与装置に接続することができる。
【００６３】
弓形アーム２４、２４′はそれぞれ、リング２１に向かうその自由端にて、外側に開いた空洞１４を有する。キャップ１５がそれぞれ、このような中空の弓形アーム２４、２４′の自由端に螺合される。キャップ１５は中空の弓形アーム２４、２４′を閉鎖する。キャップ１５は中央孔を備える。この孔を通って中空円筒形ピン１６がいずれの場合にも外側から内側に延びる。中空円筒形ピン１６は、その自由下端部にて、軸受ブッシュ２３に接続される。ネジ付きビス１７と螺旋バネ１８がいずれの場合にも弓形アーム２４、２４′の内部、ひいては空洞１４内に配置される。ネジ付きビス１７のネジ付きピンはバネ１８内に突出する。バネ１８の一方の側がネジ付きビス１７の頭部に当接する一方、バネ１８の他方の側がキャップ１５の底部に支持される。キャップ１５はそれぞれ、その底部にて、孔を有する。この孔を通って、中空円筒形ピン１６が外側からバネ１８内に延びる。
【００６４】
ネジ付きビス１７のネジ付きピンは、この目的のために対応するネジ山を有する関連する中空円筒形ピン１６に螺合される。
【００６５】
中空円筒形ピン１６は、組み立てられた状態では、関連する弓形アーム２４、２４′内に突出し、外部からは見えない。言い換えれば、軸受ブッシュ２３は、弓形アーム２４、２４′の自由端にある。張力が連結要素に付与されると、中空円筒形ピン１６は、弓形アーム２４、２４′から多かれ少なかれ引き出される。中空円筒形ピン１６の外側には、異なる色の３つの領域を有するマーキング１９が設けられる。付与される張力が大きくなるほど、中空円筒形ピン１６がバネ１８の力に抗して弓形アーム２４、２４′から引き出される量が増大する。中空円筒形ピン１６が引き出される量が増大するほど、マーキング１９の外側から見える量が増大する。このようにして、張力が視覚的に示される。
【００６６】
このため、この図示の実施形態では、張力のこの視覚的表示は、電子張力計測器に加えて設けられる。
【００６７】
直前に記載した特徴を有するこの種の連結要素が、特許文献８（国際特許公開第２０１３／０４１６７５Ａ２号（ＰＣＴ／ＥＰ２０１２／０６８６４０））に同じように記載される。
【００６８】
本発明による連結要素はここでは、以下に詳細に説明する特徴を有する。
【００６９】
空洞６がアーチ２５の内部に設けられる。これは特に図３から分かる。
【００７０】
固定具又はリング２６に接続された変形体７が空洞６内に配置される。この変形体７は、歪みゲージ８に接着された曲げビームである。変形体７又は曲げビームは、付与された力に比例して屈曲し、歪みゲージ８の抵抗の変化を引き起こす。
【００７１】
歪みゲージ８は、ホイートストンフルブリッジの形態で接続され、付与される力に比例する出力信号又は差分信号を供給する。
【００７２】
内部６にはこのほか、ホイートストンブリッジに安定した直流電圧を供給し、小さな出力信号を増幅する第１の電子機器部品９が配置される。
【００７３】
エネルギーを供給するためにバッテリの形態の第１の電流源１０が設けられる。
【００７４】
図３の右側に示された弓形アーム２４′は、アーチ２５を越えて延び、一種の連続体１１を形成する。この連続体の中に孔１２が外側かつ上方から延びる。第１の電流源１０は、この孔１２に挿入される。孔１２の開口は、ネジ付き蓋１３によって閉鎖される。
【００７５】
この孔１２は、この孔より小さい直径の孔４８であって、空洞１４まで延在する孔に合流する。
【００７６】
図５はこのほか、連結要素５を断面図で示す。図３及び図４による連結要素５にも設けられる要素には同一の参照符号が付与される。斜視図は、図４に示す図に対応する。
【００７７】
図３による連結要素５と図５による連結要素との違いは、異なる張力計測器が使用されることである。
【００７８】
図５に示す実施形態では、ホール効果センサ２７を備えた距離測定装置が使用される。このホール効果センサはケーブル２８によって第１の電子機器部品９に接続される。ケーブル２８は、孔４８を通ってホール効果センサ１９から第１の電流源１０の直前まで延び、その後、中空孔６を孔４８に接続する分岐孔を通って第１の電子機器部品９まで延びる。
【００７９】
この実施形態の連結要素５は、弓形アーム２４、２４′に関して図３の連結要素５とほぼ同じである。
【００８０】
中空円筒形ピン１６をそれぞれ、開放空洞１４に挿入する。さらに、空洞１４内には、ネジ付きビス１７とバネ１８とがそれぞれ配置される。ネジ付きビス１７のネジ付きピンはそれぞれ、バネ１８内に突出する。
【００８１】
ネジ付きピン１７の１つの頭部には、磁石１９が取り付けられ、接続される。ホール効果センサ２７は、磁石１９からの距離を測定し、ひいては距離信号を送出する。バネの特性が分かると、その力を容易に計算することができる。第１のバッテリ１０はエネルギーを供給するためのものである。
【００８２】
磁石１９はこのほか、ネジ付きビス１７と中空円筒形ピン１６との間に配置された円筒形スリーブであってもよい。円筒形スリーブを通って、ネジ付きビス１７は中空円筒形ピン１６の中に延び、その頭部によって円筒形スリーブを固定する。ネジ付きビス、磁性円筒形スリーブ及び中空円筒形ピンの（図示しない）この構成は、誘導距離測定装置における要素又は部品の以下に詳細に説明する構成にほぼ対応する。
【００８３】
連結要素５の別の実施形態が図１０に示される。この実施形態は、図５による実施形態に概ね対応する。差異は、図５によるホール効果センサを備えた距離測定装置が、誘導距離測定装置に置き換えられる点である。このため、誘導的な実施形態のこの相違点のみを以下に説明する。他の要素は、図５による実施形態の要素に対応するほか、同一の参照符号が付与される。
【００８４】
この誘導的な実施形態においても、弓形アーム２４′の空洞１４にネジ付きビス１７が設けられる。ネジ付きビス１７は、中空円筒形ピン１６内に延び、螺合される。しかし、ネジ付きビス１７のほぼ円筒形のヘッド４５は、中空円筒形ピン１６の自由端から離間される。中空円筒形ピン１６の自由端とネジ付きビス１７の頭部４５との間の空間には、円筒形スリーブ４６がある。このスリーブ４６は、この頭部４５と中空円筒形ピン１６の自由端との間の所定位置に、この円筒形スリーブ４６を通って延びるネジ付きビス１７によって保持される。
【００８５】
中空円筒形ピン１６の外径は、円筒形スリーブ４６の直径及び頭部４５の外径にほぼ対応する。
【００８６】
円筒形スリーブ４６は、軟磁性材料で作成されるか、例えばフェライト、鉄などの材料を含有する。
【００８７】
さらに、円筒形コイル４７又はコイルシステムが、弓形アーム２４′の空洞１４内に挿入され、所定の位置に固定され、円筒形スリーブ４６周りで半径方向外側に短距離だけ延びる。
【００８８】
張力が連結要素５に付与されると、円筒形スリーブは円筒形コイル４７に対して移動する。このようにして、測定可能であり、付与された張力の尺度を表すインダクタンスの変化が生じる。これに必要な電子機器は既知であるため、さらに詳細に説明することはしない。このような電子機器は、もちろん、例えば電子機器部品９内の連結要素５に一体化される必要がある。
【００８９】
図３、図５及び図１０による全実施形態又は連結要素５では、第１の電子機器部品９は、外部とのインターフェースとしてブルートゥース（登録商標）モジュールを備える。関連するデータは、このインターフェースを介して、例えば携帯電話のアプリに無線で転送される。このため、このブルートゥース（登録商標）モジュールは無線装置を表す。
【００９０】
図１及び図２に示す締結装置１は、中空体３及びスリーブ２だけでなく、真空ポンプ４も有する。この真空ポンプ４の設計は公知のタイプであり、上記ですでに考察した特許文献８（国際特許公開第２０１３／０４１６７５Ａ２号（ＰＣＴ／ＥＰ２０１２／０６８６４０））に記載される。ここで再び上記文献の開示が参照される。このため、真空ポンプ４の具体的な構成に関する詳細は不要である。
【００９１】
この真空ポンプ４を作動させることにより、中空体３の内部に負圧を発生させることができ、その結果、スリーブ２は、陰茎の軸部に封止的に装着され、圧入係合する。
【００９２】
圧力計を中空体３の壁に配置することができる。第１の電子機器部品９、第１の電流源１０及び無線装置は、上記したように連結要素５内に配置することができる。電気的接触は、圧力計と電子機器部品との間のケーブルによって保証することができる。
【００９３】
図６は、ユーザの身体に装着することができる支持リング２９と、支持リング２９の前部に旋回可能に取り付けられ、軸方向に弾力的に取り付けられた２つの伸長ロッド３０、３０′とを有する陰茎拡張装置の斜視図を示す。この種の構成は、上記の特許文献７（独国実用新案第２０２０３９２７Ｕ１号明細書）から公知である。
【００９４】
２つの伸長ロッド３０、３０′の遠位端には、２つの伸長ロッド３０、３０′を図１及び図２による締結装置１に接続する連結要素５が設けられる。
【００９５】
後者の締結装置１は、図１及び図２に関連して説明した種類の中空体３、スリーブ２及び真空ポンプ４を有する。
【００９６】
特に図８から分かるように、連結要素５は、２つの保持クリップ３１、３１′を有する。保持クリップのそれぞれは、側方から伸長ロッド３０、３０′に適用することができる弾性頬部を有する長手方向スロット付き中空シリンダを有する。このような中空シリンダ３２、３２′は、その遠位端で閉鎖される。
【００９７】
中空シリンダ３２、３２′は、側面からだけでなく軸方向にも伸長ロッド３０、３０′に押し込むことができる。
【００９８】
このため、組み立てられた状態では、保持クリップ３１、３１′を、関連伸長ロッド３０、３０′の遠位端にそれぞれ載置する。
【００９９】
２つの保持クリップ３１、３１′は、近位端、ひいては支持リング２９に面する中空シリンダ３２、３２′の端部に配置された帯状の接続要素３４によって互いに堅固に接続される。
【０１００】
接続要素３４は、円形の一種のセグメントを形成するように、膨張した形状を有する。
【０１０１】
蓋３５、３５′によってそれぞれ閉じられた２つの保持クリップ３１、３１′の遠位端に接続ウェブ３６、３６′が一体的に形成され、接続ウェブ３６、３６′の自由端は、ペグ２２、２２′が組み立てられた状態になる軸受ブッシュ２３、２３′として設計される。このようなペグ２２、２２′は締結装置１に接続される。このようにして、ペグ２２、２２′の長手方向軸周りに旋回可能である、締結装置１の連結要素５への接続が達成される。
【０１０２】
スリーブ２は、締結装置１を陰茎に取り付ける役割を果たす。
【０１０３】
２つの伸長ロッド３０、３０′はそれぞれ、近位ロッド部分３７、３７′と遠位ロッド部分３８、３８′とを有する。遠位ロッド部分３８、３８′は、少なくともいくつかの領域では、近位ロッド部分３７、３７′を入れ子式に押し込むことができる中空ロッドである。
【０１０４】
ネジ付きビス３９が、２つの近位ロッド部分３７、３７′の遠位端に螺合される。遠位ロッド部分３８の内部を通って延びる圧縮バネ４０が、ネジ付きビス３９の頭部４３に支持される。
【０１０５】
外装面上では、遠位ロッド部分３８の遠位端は、ネジ付きピン４１が螺合されるネジ山３３を有する。このネジ付きピン４１は、伸長ロッド３０の端部４２に接続される。
【０１０６】
近位端部３７が遠位ロッド部分３８の中に入れ子式に押し込まれると、バネ４０は圧縮される。バネ４０は、連結要素５の方向に力を解放する。
【０１０７】
端部４２はいくつかの領域に分割することができる。このような領域は互いに螺合することができる。このようにして、伸長ロッド３０、３０′の長さを変えることができる。
【０１０８】
伸長ロッド３０、３０′のうちの１つでは、ネジ付きピン４１にホール効果センサ２７が取り付けられる一方、ネジ付きビス３９の頭部４３には磁石１９が配置される。この磁石１９は円筒形リングであり、このリングを通ってネジ付きビス３９が延びる。
【０１０９】
遠位ロッド部分３８に対する近位ロッド部分３７の位置が変化すると、磁石１９からホール効果センサ２７までの距離が変化する。このようにして、ホール効果センサ２７はマグネット１９までの距離を測定する。ここでの機構は上記したものと同一である。
【０１１０】
ホール効果センサ２７及び磁石１９が収容される伸長ロッド３０の端部４２は、内側に中空であり、その結果、他の必要な構成要素をその内部に収容することができる。必要な構成要素には、第１の電子機器部品、第１の電流源、ケーブル及び第１の無線装置が含まれる。このような要素又は部品は、図７には示されていない。
【０１１１】
この「内側に中空の」端部４２の自由端は、この空洞を外側から封止するネジ付きビスの形態の蓋４４によって閉鎖されるか、閉鎖され得る。
【０１１２】
ホール効果センサを備えた距離測定装置の代わりに、上記した（図示しない）タイプの誘導距離測定装置を使用することも可能である。
【０１１３】
図６による陰茎拡張装置を適用するために、ユーザは、支持リング２９を通して、伸長ロッド３０、３０′に未だ接続されていない締結装置のスリーブ２内に自身の陰茎を案内する。
【０１１４】
次に、ユーザは、２つの伸長ロッド３０、３０′を一緒に押し、この２つの伸長ロッドを連結要素５に接続する。連結要素５には、例えば、伸長ロッド３０、３０′の２つの端部が保持クリップ３１、３１′にクリップ留めされる。
【０１１５】
各伸長ロッド３０、３０′のバネ１８は、解放された後、伸長ロッド３０、３０′の遠位端の方向に力を加える。この力は、連結要素５と締結装置１のほか、スリーブ２によって、張力の形態で陰茎に伝達される。
【０１１６】
この張力の強さは、上記の距離測定装置と、距離測定装置と相互作用する部品又は要素の補助を受けて測定することができ、無線装置を介してアプリに転送することができる。
【０１１７】
本発明による締結装置のほとんどの部品又は要素は、プラスチックで作成することができる。このような部品又は要素は、特にプラスチック射出成形部品である。もちろん、これは、技術的に実現可能である場合、及び／又は文書で別段の指示がない限り、適用される。伸長ロッド、バネ及びネジ付きビスは、便宜的に金属製である。
【符号の説明】
【０１１８】
１    締結装置
２    スリーブ
３    中空体
４    真空ポンプ
５    連結要素
６    空洞
７    変形体
８    歪みゲージ
９    第１の電子機器部品
１０    第１の電流源
１１    連続体
１２    孔
１３    ネジ付き蓋
１４    空洞
１５    キャップ
１６    中空円筒形ピン
１７    ネジ付きビス
１８    バネ
１９    磁石
２０    カラー
２１    リング
２２、２２′    ペグ
２３、２３′    軸受ブッシュ
２４、２４′    弓形アーム
２５    アーチ
２６    固定具／リング
２７    ホール効果センサ
２８    ケーブル
２９    支持リング
３０、３０′    伸長ロッド
３１、３１′    保持クリップ
３２、３２′    中空円筒
３３    ねじ山
３４    接続要素
３５、３５′    蓋
３６、３６′    接続ウェブ
３７、３７′    近位ロッド部分
３８、３８′    遠位ロッド部分
３９    ネジ付きビス
４０    圧縮バネ
４１    ネジ付きピン
４２    端部
４３    ネジ付きビス３９の頭部
４４    蓋
４５    ネジ付きビス１７の頭部
４６    円筒形スリーブ
４７    円筒形コイル
４８    孔
【図１】
2019523689.tif 000003
【図２】
2019523689.tif 000004
【図３】
2019523689.tif 000005
【図４】
2019523689.tif 000006
【図５】
2019523689.tif 000007
【図６】
2019523689.tif 000008
【図７】
2019523689.tif 000009
【図８】
2019523689.tif 000010
【図９】
2019523689.tif 000011
【図１０】
2019523689.tif 000012
【国際調査報告】
2019523689.tif 000013
2019523689.tif 000014
2019523689.tif 000015
2019523689.tif 000016